(57)【特許請求の範囲】
【請求項１】
音道管を有するレシーバユニットと、このレシーバユニットの音道管に装着されたイヤーチップとを備えてなり、上記イヤーチップを外耳道に挿入した状態で使用するように構成された挿入型イヤホンにおいて、
上記イヤーチップが、上記音道管の音道と連通する音道を形成する筒状部と、この筒状部の先端部から該筒状部の基端部側へ略パラボラ状に広がるように形成された第１環状フランジ部と、上記筒状部の中間部から該筒状部の基端部側へ略パラボラ状に広がるように形成された第２環状フランジ部とを備えてなり、
上記第１環状フランジ部の外径が、上記第２環状フランジ部の外径よりも小さい値に設定されており、
上記第１環状フランジ部が、該第１環状フランジの内周端部から外周端部まで略同一肉厚で形成されるとともに、該第１環状フランジ部の内周端部近傍部位が略半ドーナッツ形状に形成されており、
上記筒状部の先端面と上記第１環状フランジ部の内周端部近傍部位における外表面との接続部分が、断面円弧状曲線で滑らかに形成されている、ことを特徴とする挿入型イヤホン。
【請求項２】
上記第１環状フランジ部の肉厚が、０．４〜０．６ｍｍに設定されており、
上記第２環状フランジ部における内周端部以外の部分の肉厚が、上記第１環状フランジ部の肉厚と略同じ値に設定されている、ことを特徴とする請求項１記載の挿入型イヤホン。
【請求項３】
上記第１環状フランジ部の内周端部近傍部位における外表面の曲率半径が、１．０〜１．５ｍｍに設定されており、
上記円弧状曲線の曲率半径が、上記第１環状フランジ部の内周端部近傍部位における外表面の曲率半径と略同じ値に設定されている、ことを特徴とする請求項１または２記載の挿入型イヤホン。
【発明の詳細な説明】
【０００１】
【発明の属する技術分野】
本願発明は、挿入型イヤホンに関するものであり、特に、そのイヤーチップの構成に関するものである。
【０００２】
【従来の技術】
一般に、挿入型イヤホンは、音道管を有するレシーバユニットと、このレシーバユニットに装着されたイヤーチップとを備えてなり、イヤーチップを外耳道に挿入した状態で使用するように構成されている。
【０００３】
この挿入型イヤホンのイヤーチップは、上記音道管の音道と連通する音道を形成する筒状部と、この筒状部の先端部からその基端部側へ略パラボラ状に広がるように形成された環状フランジ部とからなっている。そして、このイヤーチップを外耳道に挿入したとき、その環状フランジ部により挿入型イヤホンを保持するとともに、該環状フランジ部が外耳道の壁面に密着して音漏れの発生を防ぐようになっている。
【０００４】
このような挿入型イヤホンにおいて安定した音質を得るためには、イヤーチップを外耳道に挿入したときに、その音道形状が大きく変形しないようにすることが肝要である。このため、イヤーチップの筒状部をある程度厚肉に形成することにより十分な剛性を確保するようにしている。そして、外耳道の壁面に対する環状フランジ部の密着性については、専ら環状フランジ部の変形作用のみによって確保するようにしている。
【０００５】
この場合において、２重構造の環状フランジ部を有するイヤーチップを採用すれば、環状フランジ部による挿入型イヤホンの保持機能と外耳道の壁面に対する密着機能とをある程度分離させることができる。
【０００６】
具体的には、図４に示す挿入型イヤホン１１０のイヤーチップ１１４のように、筒状部１１４Ａの先端部からその基端部側へ略パラボラ状に広がるように形成された第１環状フランジ部１１４Ｂと、筒状部１１４Ａの中間部からその基端部側へ略パラボラ状に広がるように形成された第２環状フランジ部１１４Ｃとを備えた構成とし、第１環状フランジ部１１４Ｂの外径を第２環状フランジ部の外径よりも小さい値に設定すれば、第１環状フランジ部１１４Ｂを音響特性上有利な（十分な音圧が確保可能な）外耳道２の奥部において壁面２ａに密着させるとともに、第２環状フランジ部１１４Ｃをイヤーチップ装着時の違和感が比較的小さい外耳道２の入口部分において壁面２ａに当接させて挿入型イヤホン１１０の保持を図ることができる。
【０００７】
【発明が解決しようとする課題】
しかしながら、このようにイヤーチップの環状フランジ部を単に２重構造にしただけでは、次のような問題がある。
【０００８】
すなわち、外耳道２は、単純な円筒形状ではなく複雑な曲面形状で延びているので、イヤーチップ１１４を外耳道２に挿入したとき、その壁面２ａに対して第１環状フランジ部１１４Ｂの周方向各部位が不均一に当接する。その際、図示のように、第１環状フランジ部１１４Ｂの内周端部１１４Ｂａが、一般的な単一構造のイヤーチップの環状フランジ部と同様に厚肉で形成されているとすると、この内周端部１１４Ｂａおよびその近傍部位はほとんど変形せずに、その外周側部分１１４Ｂｂのみが大きく変形する。しかもこのとき、第１環状フランジ部１１４Ｂは、外周側部分１１４Ｂｂの壁面当接部およびその近傍部位のみが変形するだけであるので、第１環状フランジ部１１４Ｂ全体としては外耳道２の壁面２ａに対する押圧力が不足しやすくなる。
【０００９】
このため、イヤーチップ１１４の外耳道２に対する密着性を十分に確保することができず、音漏れの発生を効果的に防止することができない、という問題がある。
【００１０】
また、イヤーチップ１１４をより強く密着させるために、さらに耳の奥まで挿入してしまう場合があるが、このような場合にも内周端部１１４Ｂａおよびその近傍部位はさほど変形しないため、外耳道２の奥の第１湾曲部２ｂまでイヤーチップ１１４がそのままの形で到達してしまい、第１湾曲部２ｂによりイヤーチップ１１４の音道１１４ａの先端部が塞がれてしまう、という問題もある。
【００１１】
その反面、第１環状フランジ部１１４Ｂの外周側部分１１４Ｂｂの壁面当接部においては、外耳道２の壁面２ａを局部的に強く圧迫することとなるので、イヤーチップ１１４の長時間装着によりユーザに違和感ないし苦痛を与えてしまう、という問題がある。
【００１２】
本願発明は、このような事情に鑑みてなされたものであって、音漏れの発生を効果的に防止するとともにイヤーチップの装着感を向上させることができる挿入型イヤホンを提供することを目的とするものである。
【００１３】
【課題を解決するための手段】
本願発明は、イヤーチップの第１環状フランジ部の形状に工夫を施すことにより、上記目的達成を図るようにしたものである。
【００１４】
すなわち、本願発明に係る挿入型イヤホンは、
音道管を有するレシーバユニットと、このレシーバユニットの音道管に装着されたイヤーチップとを備えてなり、上記イヤーチップを外耳道に挿入した状態で使用するように構成された挿入型イヤホンにおいて、
上記イヤーチップが、上記音道管の音道と連通する音道を形成する筒状部と、この筒状部の先端部から該筒状部の基端部側へ略パラボラ状に広がるように形成された第１環状フランジ部と、上記筒状部の中間部から該筒状部の基端部側へ略パラボラ状に広がるように形成された第２環状フランジ部とを備えてなり、
上記第１環状フランジ部の外径が、上記第２環状フランジ部の外径よりも小さい値に設定されており、
上記第１環状フランジ部が、該第１環状フランジの内周端部から外周端部まで略同一肉厚で形成されるとともに、該第１環状フランジ部の内周端部近傍部位が略半ドーナッツ形状に形成されており、
上記筒状部の先端面と上記第１環状フランジ部の内周端部近傍部位における外表面との接続部分が、断面円弧状曲線で滑らかに形成されている、ことを特徴とするものである。
【００１５】
上記「イヤーチップ」は、その環状フランジ部として第１および第２環状フランジ部のみが形成された構成としてよいことはもちろんであるが、これら以外の環状フランジ部が追加形成された構成としてもよい。
【００１６】
上記「第１環状フランジ部」は、その内周端部から外周端部まで略同一肉厚で形成されたものであれば、その肉厚寸法の具体的な値は特に限定されるものではない。
【００１７】
上記「略半ドーナッツ形状」とは、筒状部の中心軸線を含む断面形状が略円弧形状に設定された回転体形状を意味するものである。
【００１８】
【発明の作用効果】
上記構成に示すように、本願発明に係る挿入型イヤホンは、レシーバユニットの音道管に装着されたイヤーチップが、音道管の音道と連通する音道を形成する筒状部と、この筒状部の先端部および中間部からその基端部側へ各々略パラボラ状に広がるように形成された第１および第２環状フランジ部とを備えているが、第１環状フランジ部は、その外径が第２環状フランジ部の外径よりも小さい値に設定されており、その内周端部から外周端部まで略同一肉厚で形成されるとともに、その内周端部近傍部位が略半ドーナッツ形状に形成されているので、次のような作用効果を得ることができる。
【００１９】
すなわち、イヤーチップを外耳道に挿入すると、その壁面に対して第１環状フランジ部が部分的に当接して壁面から反力を受けるが、このとき第１環状フランジ部はその内周端部近傍部位がまず変形する。これは、内周端部から外周端部まで略同一肉厚で形成された第１環状フランジ部においては、径が小さい内周端部近傍部位に相対的に大きな応力を生じるからである。その際、この内周端部近傍部位は略半ドーナッツ形状に形成されているので、その略円弧状断面の曲率半径を周方向各部位によって変化させるようにして変形する。この内周端部近傍部位の変形により、その外周側部分は壁面当接前の形状と略同一形状を維持したまま回動し、外耳道における反対側の壁面に当接する。このとき、外周側部分の周方向各部位において外耳道の壁面に対する押圧力に差異があれば、内周端部近傍部位の変形作用により押圧力が平均化されるので、第１環状フランジ部は常に外耳道の壁面に対して全周略均一な押圧力で当接することとなる。
【００２０】
このため、第１環状フランジ部を外耳道の壁面に対して確実に密着させることができ、これにより音漏れの発生を効果的に防止することができる。しかも、第１環状フランジ部の外周側部分は外耳道の壁面に対して全周略均一な押圧力で当接するので、その押圧力を小さい値に設定しても密着性を十分に確保することができる。したがって、第１環状フランジ部によって外耳道の壁面を局部的に強く圧迫してしまうおそれをなくすことができ、これによりイヤーチップの装着感を向上させることができる。
【００２１】
このように本願発明によれば、挿入型イヤホンにおいて、音漏れの発生を効果的に防止するとともにイヤーチップの装着感を向上させることができる。
【００２２】
しかも本願発明においては、第１環状フランジ部を外耳道の壁面に確実に密着させることができるので、第２環状フランジ部については、挿入型イヤホンの保持機能に特化した構成とすることができる。そして、このように挿入型イヤホンの保持機能と外耳道の壁面に対する密着機能とを略完全に分離させることにより、挿入型イヤホンの音響性能を最大限に発揮させることが可能となる。
【００２３】
上述したように、本願発明の構成を採用することにより、第１環状フランジ部の外耳道の壁面に対する押圧力を小さい値に設定しても十分な密着性を確保することができるので、第１環状フランジ部の薄肉化を図ることが可能となるが、肉厚をあまりにも小さくすると、その外周側部分が壁面当接前の形状と略同一形状を維持したまま回動しにくくなる。このような観点から、第１環状フランジ部の肉厚は０．３〜０．６ｍｍに設定することが好ましい。
【００２４】
また上述したように、第１環状フランジ部の内周端部近傍部位は略半ドーナッツ形状に形成されているが、この内周端部近傍部位における外表面の曲率半径を１．０〜１．５ｍｍに設定することが、該内周端部近傍部位の変形によって外周側部分を壁面当接前の形状と略同一形状を維持したまま回動させるようにする上で好ましい。ここでいう「曲率半径」とは、筒状部の中心軸線を含む断面に沿った曲率半径を意味するものである。
【００２５】
【発明の実施の形態】
以下、図面を用いて、本願発明の実施の形態について説明する。
【００２６】
図１は、本願発明の一実施形態に係る挿入型イヤホン１０を示す一部断面側面図であり、図２は、図１の要部側断面図である。
【００２７】
これらの図に示すように、本実施形態に係る挿入型イヤホン１０は、レシーバユニット１２とイヤーチップ１４とからなっている。レシーバユニット１２は、その前端部（図１において右端部）に音道管１６を有しており、この音道管１６にイヤーチップ１４が装着されている。そして、この挿入型イヤホン１０は、イヤーチップ１４を外耳道に挿入した状態で使用するようになっている。
【００２８】
レシーバユニット１２は、レシーバ本体１８と、このレシーバ本体１８を収容するハウジング２０と、レシーバ本体１８に接続されたコード２２とを備えてなっている。
【００２９】
レシーバ本体１８は、略直方体の外形形状を有するバランスドアーマチャ型の電磁型レシーバで構成されており、その前端面の下端部に放音孔１８ａが形成されるとともに、その上面後端部近傍部位に端子１８ｂが設けられている。そして、このレシーバ本体１８は、コード２２を介して端子１８ｂから入力される信号電流に応じた音波を放音孔１８ａから放射するようになっている。
【００３０】
ハウジング２０は、レシーバ本体１８を挿着固定するフレーム２４と、コード２２の端末部を収容した状態でフレーム２４に後方側から嵌合固定されたコード固定用ブロック２６と、フレーム２４およびコード固定用ブロック２６を筒状に覆う外装部材２８とからなっている。
【００３１】
フレーム２４は、例えばポリカーボネート樹脂等からなる射出成形品であって、レシーバ本体１８の前部が後方側から挿入される挿入空間２４Ａａを形成するレシーバ本体挿入部２４Ａと、このレシーバ本体挿入部２４Ａから後方へ延びるように形成され、コード固定用ブロック２６と嵌合するブロック嵌合部２４Ｂと、このブロック嵌合部２４Ｂの左右両側部を切り欠くようにして形成され、レシーバ本体挿入部２４Ａに挿入されたレシーバ本体１８の後端部に左右両側から弾性的に係合する１対の弾性係合片２４Ｃと、レシーバ本体挿入部２４Ａの前端面２４Ａｂから前方へ円筒状に延びる外筒部２４Ｄとからなっている。
【００３２】
コード固定用ブロック２６は、例えばＡＢＳ樹脂等からなる射出成形品であって、フレーム２４のブロック嵌合部２４Ｂの形状に対応するよう側面視においてコ字状に形成されており、その後端部近傍には環状溝２６ａが形成されている。そして、このコード固定用ブロック２６においては、その環状溝２６ａの下端部に形成された挿通孔（図示せず）を介してコード２２を該コード固定用ブロック２６内に挿通させ、その端末部をレシーバ本体１８の端子１８ｂに基板（図示せず）を介して接続させるようになっている。その際、コード固定用ブロック２６内に収容されたコード２２の端末部近傍部位には、コブ状の結び目が形成されており、これにより、コード２２が引っ張られたときに、この結び目とコード固定用ブロック２６とが係合して引張り力に抵抗するようになっている。
【００３３】
外装部材２８は、例えばシリコーンゴム等の軟質材料で構成されており、フレーム２４およびコード固定用ブロック２６を覆った状態ではある程度弾性変形している。すなわち、この外装部材２８は、単品状態では、円筒状に形成されており、その軸線方向両端部には、各々環状フランジ部２８ａ、２８ｂが内周側へ突出するように形成されている。そして、この外装部材２８は、その一方の環状フランジ部２８ａを押し広げた状態で、フレーム２４およびコード固定用ブロック２６に被せるようにして後方側から装着され、装着完了状態では、前方側の環状フランジ部２８ａがフレーム２４のレシーバ本体挿入部２４Ａの前端面２４Ａｂと係合し、後方側の環状フランジ部２８ｂがコード固定用ブロック２６の環状溝２６ａと係合するようになっている。ただし、環状溝２６ａの下端部においては、コード２２を迂回するよう前方側へ部分的に変位した状態で係合している。
【００３４】
フレーム２４の外筒部２４Ｄは、その前端部に外周側へ突出する環状フランジ部２４Ｄａが形成されており、その前端面２４Ｄｂの下端部には前方へ突出する突起部２４Ｄｃが形成されている。この外筒部２４Ｄの内周側空間２４Ｄｄは、レシーバ本体挿入部２４Ａの挿入空間２４Ａａと連通するように形成されているが、この内周側空間２４Ｄｄにおける後端部下面には切欠き部２４Ｄｅが形成されている。この切欠き部２４Ｄｅが形成されていることにより、レシーバ本体挿入部２４Ａにレシーバ本体１８が挿入されたとき、その放音孔１８ａが塞がれてしまわないようにしている。そして、この外筒部２４Ｄの内周側空間２４Ｄｄには、内筒部材３０が前方側から挿着されており、これら外筒部２４Ｄと内筒部材３０とで上記音道管１６を構成するようになっている。
【００３５】
内筒部材３０は、例えばＡＢＳ樹脂等からなる射出成形品であって、円筒部３０Ａと、この円筒部３０Ａの前端部に外周側へ突出するように形成されたフランジ部３０Ｂとからなり、その中心部に形成された貫通孔３０ａの前端部は、大径のフィルタ収容部３０ｂとして形成されている。円筒部３０Ａは、その前端近傍部位３０Ａａの外径が外筒部２４Ｄの内径と略同じ値に設定されており、それよりも後方側の部位の外径は外筒部２４Ｄの内径よりもやや小さい値に設定されている。一方、フランジ部３０Ｂは、その下端部に切欠き部３０Ｂａが形成されており、また、その上端部には水平方向に面取りされた面取り部３０Ｂｂが形成されている。
【００３６】
内筒部材３０は外筒部２４Ｄに挿着される際、そのフランジ部３０Ｂが外筒部２４Ｄの前端面２４Ｄｂに当接することにより、軸線方向の位置決めが行われ、また、そのフランジ部３０Ｂの切欠き部３０Ｂａを外筒部２４Ｄの突起部２４Ｄｃに係合させることにより、軸線回り方向の位置決めが行われるようになっている。なお、内筒部材３０は、その円筒部３０Ａの前端近傍部位３０Ａａにおいて外筒部２４Ｄと摺接嵌合するようになっている。
【００３７】
この内筒部材３０の外筒部２４Ｄへの挿着が行われることにより、音道管１６の音道１６ａが形成されることとなるが、この音道１６ａは、内筒部材３０の貫通孔３０ａと、この貫通孔３０ａの後方側に僅かに露出する外筒部２４Ｄの内周側空間２４Ｄｄとで構成されることとなる。
【００３８】
内筒部材３０のフィルタ収容部３０ｂには、不織布等からなる円板状の音響フィルタ３２が、接着あるいは両面テープでの貼着等により固定されている。
【００３９】
イヤーチップ１４は、例えばシリコーンゴム等の軟質材料で構成されており、筒状部１４Ａと、第１および第２環状フランジ部１４Ｂ、１４Ｃとからなっている。
【００４０】
筒状部１４Ａは、音道管１６への装着によりその音道１６ａと連通する音道１４ａを形成するようになっている。第１環状フランジ部１４Ｂは、筒状部１４Ａの先端部から基端部側へ略パラボラ状に広がるように形成されており、一方、第２環状フランジ部１４Ｃは、筒状部１４Ａの中間部から基端部側へ略パラボラ状に広がるように形成されている。
【００４１】
第１環状フランジ部１４Ｂは、その内周端部から外周端部まで略同一肉厚で形成されているが、第２環状フランジ部１４Ｃは、その内周端部が厚肉で形成されるとともに、それ以外の部分が略同一肉厚で形成されている。第１環状フランジ部１４Ｂの外径は、第２環状フランジ部１４Ｃの外径よりも小さい値に設定されている。また、第１環状フランジ部１４Ｂは、その内周端部近傍部位１４Ｂａが略半ドーナッツ形状に形成されている。
【００４２】
具体的には、イヤーチップ１４は、その材料硬度がショア硬度でＡ＝３０〜６０（例えば４５）に設定されている。また、第１環状フランジ部１４Ｂの肉厚ｔ１は、ｔ１＝０．３〜０．６ｍｍ（例えば０．５ｍｍ）に設定されており、第２環状フランジ部１４Ｃにおける内周端部以外の以外の部分の肉厚ｔ２も、ｔ２＝０．３〜０．６ｍｍ（例えば０．５ｍｍ）に設定されている。そして、第１環状フランジ部１４Ｂの外径は、約φ１０ｍｍに設定されており、第２環状フランジ部１４Ｃの外径は、約φ１２ｍｍに設定されている。
【００４３】
筒状部１４Ａの中心軸線Ａｘを含む断面において、第１環状フランジ部１４Ｂの内周端部近傍部位１４Ｂａにおける外表面１４Ｂａ１の曲率半径Ｒ１は、Ｒ１＝１．０〜１．５ｍｍ（例えば１．１ｍｍ）に設定されている。なお、第１環状フランジ部１４Ｂの内周端部近傍部位１４Ｂａが略半ドーナッツ形状に形成されていることから、筒状部１４Ａの先端面１４Ａａは、内周端部近傍部位１４Ｂａよりも基端部側に位置しているが、この先端面１４Ａａにおける内周端部近傍部位１４Ｂａの外表面１４Ｂａ１との接続部分１４Ａａ１は、円弧状曲線で滑らかに接続されている。この円弧状曲線の曲率半径Ｒ２は、Ｒ２＝１．０〜１．５ｍｍ（例えば１．３ｍｍ）に設定されている。
【００４４】
以上詳述したように、本実施形態に係る挿入型イヤホン１０は、レシーバユニット１２の音道管１６に装着されたイヤーチップ１４が、音道管１６の音道１６ａと連通する音道１４ａを形成する筒状部１４Ａと、この筒状部１４Ａの先端部および中間部からその基端部側へ各々略パラボラ状に広がるように形成された第１および第２環状フランジ部１４Ｂ、１４Ｃとを備えているが、第１環状フランジ部１４Ｂは、その外径が第２環状フランジ部１４Ｃの外径よりも小さい値に設定されており、その内周端部から外周端部まで略同一肉厚で形成されるとともに、その内周端部近傍部位１４Ｂａが略半ドーナッツ形状に形成されているので、次のような作用効果を得ることができる。
【００４５】
すなわち、図３に示すように、イヤーチップ１４を外耳道２に挿入すると、その壁面２ａに第１環状フランジ部１４Ｂ（の下端部）が部分的に当接して壁面２ａから反力を受ける。このとき、第１環状フランジ部１４Ｂにおいて相対的に強度が小さい内周端部近傍部位１４Ｂａがまず変形する。その際、この内周端部近傍部位１４Ｂａは略半ドーナッツ形状に形成されているので、その略円弧状断面の曲率半径を周方向の各部位によって変化させるようにして変形する。この内周端部近傍部位１４Ｂａの変形により、その外周側部分１４Ｂｂは壁面当接前の形状（図中２点鎖線で示す形状）と略同一形状を維持したまま回動する。このとき外周側部分１４Ｂｂが仮に制約なしに回動できるものとすれば図中破線で示す位置まで回動変位することとなるが、回動途中で外周側部分１４Ｂｂにおける壁面当接部とは反対側の部分（上端部）が外耳道２の壁面２ａに当接するので、この反対側部分が変形して壁面２ａを押圧することとなる。その際、外周側部分１４Ｂｂの周方向各部位において外耳道２の壁面２ａに対する押圧力に差異があれば、内周端部近傍部位１４Ｂａの変形作用により押圧力が平均化されるので、第１環状フランジ部１４Ｂは常に外耳道２の壁面２ａに対して全周略均一な押圧力で当接することとなる。
【００４６】
このため、第１環状フランジ部１４Ｂを外耳道２の壁面２ａに対して確実に密着させることができ、これにより音漏れの発生を効果的に防止することができる。しかも、第１環状フランジ部１４Ｂの外周側部分１４Ｂｂは外耳道２の壁面２ａに対して全周略均一な押圧力で当接するので、その押圧力を小さい値に設定しても十分な密着性を確保することができる。したがって、第１環状フランジ部１４Ｂによって外耳道２の壁面２ａを局部的に強く圧迫してしまうおそれをなくすことができ、これによりイヤーチップ１４の装着感を向上させることができる。
【００４７】
このように本実施形態によれば、挿入型イヤホンにおいて、音漏れの発生を効果的に防止するとともにイヤーチップの装着感を向上させることができる。
【００４８】
特に本実施形態においては、ユーザがイヤーチップ１４を耳の奥まで挿入した場合においても、第１環状フランジ部１４Ｂの外周側部分１４Ｂｂが回動するので、外耳道２の奥の第１湾曲部２ｂによりイヤーチップ１４の音道１４ａの先端部が塞がれてしまうことなく、イヤーチップ１４の装着を行うことができる。
【００４９】
しかも本実施形態においては、第１環状フランジ部１４Ｂを外耳道２の壁面２ａに確実に密着させることができるので、第２環状フランジ部１４Ｃについては、挿入型イヤホン１０の保持機能に特化した構成とすることができる。具体的には、第２環状フランジ部１４Ｃをイヤーチップ装着時の違和感が比較的小さい外耳道２の入口部分において壁面２ａに確実に固定することができる。そして、このように挿入型イヤホン１０の保持がしっかりと行われることにより、その音響特性（特に低音領域の特性）を向上させることできる。
【００５０】
なお実施形態においては、第２環状フランジ部１４Ｃにおける内周端部以外の以外の部分の肉厚ｔ２が、第１環状フランジ部１４Ｂの肉厚ｔ１と同じ値に設定されているものとして説明したが、この肉厚ｔ２を必要に応じて異なる値に設定してもよいことはもちろんである。
【００５１】
ところで実施形態においては、筒状部１４Ａの先端面１４Ａａにおける内周端部近傍部位１４Ｂａの外表面１４Ｂａ１との接続部分１４Ａａ１が円弧状曲線で滑らかに形成されているので、第１環状フランジ部１４Ｂは、その内周端部から外周端部まで「同一肉厚」で形成されていることにはならないが、その内周端部から外周端部まで「略同一肉厚」で形成されているという範疇から外れるものではない。すなわち、接続部分１４Ａａ１の曲率半径Ｒ２はＲ２＝１．０〜１．５ｍｍであるので、この程度の大きさの曲率半径で接続部分１４Ａａ１が形成されていても、外周側部分１４Ｂｂが壁面２ａから反力を受けたときの内周端部近傍部位１４Ｂａの変形作用が阻害されてしまうことはない。一方、この接続部分１４Ａａ１が形成されていることにより、内周端部近傍部位１４Ｂａが変形したときに、第１環状フランジ部１４Ｂの内周端部に亀裂等が発生してしまうおそれをなくすことができる。
【００５２】
本実施形態においては、第１環状フランジ部１４Ｂの肉厚ｔ１が０．３〜０．６ｍｍに設定されているので、その内周端部近傍部位１４Ｂａの変形によって外周側部分１４Ｂｂを壁面当接前の形状と略同一形状を維持したまま回動させるという機能を確保した上で、第１環状フランジ部１４Ｂの薄肉化を図ることができる。
【００５３】
また本実施形態においては、第１環状フランジ部１４Ｂの内周端部近傍部位１４Ｂａにおける外表面１４Ｂａ１の曲率半径Ｒ１が１．０〜１．５ｍｍに設定されているので、該内周端部近傍部位１４Ｂａの変形によって外周側部分１４Ｂｂを壁面当接前の形状と略同一形状を維持したまま回動させることが容易に可能となる。
【図面の簡単な説明】
【図１】本願発明の一実施形態に係る挿入型イヤホンを示す一部断面側面図
【図２】図１の要部側断面図
【図３】上記挿入型イヤホンの使用状態を示す図
【図４】従来例を示す、図３と同様の図
【符号の説明】
２  外耳道
２ａ  壁面
２ｂ  第１湾曲部
１０  挿入型イヤホン
１２  レシーバユニット
１４  イヤーチップ
１４ａ  音道
１４Ａ  筒状部
１４Ａａ  先端面
１４Ａａ１  接続部分
１４Ｂ  第１環状フランジ部
１４Ｂａ  内周端部近傍部位
１４Ｂａ１  外表面
１４Ｂｂ  外周側部分
１４Ｃ  第２環状フランジ部
１６  音道管
１６ａ  音道
１８  レシーバ本体
１８ａ  放音孔
２０  ハウジング
２２  コード
２４  フレーム
２４Ａ  レシーバ本体挿入部
２４Ｂ  ブロック嵌合部
２４Ｃ  弾性係合片
２４Ｄ  外筒部
２６  コード固定用ブロック
２８  外装部材
３０  内筒部材
３２  音響フィルタ
Ａｘ  中心軸線
【図１】
0003768431.tif 000002
【図２】
0003768431.tif 000003
【図３】
0003768431.tif 000004
【図４】
0003768431.tif 000005